(57)【特許請求の範囲】
【請求項１】
前面に撮像レンズを有する前側筐体と、
前記前側筐体に対し端部で回動可能に結合され、背面に画像モニターを有する後側筐体と、
前記前側筐体の背面に出し入れ可能に取り付けられ、前記前側筐体の姿勢を所定角度に保持するスタンド部材と、
前記スタンド部材と前記後側筐体とに架設され、前記前側筐体に対する前記後側筐体の回動動作に連動して前記スタンド部材を動作可能とするリンク部材と、を備えることを特徴とする撮像装置。
【請求項２】
前記前側筐体の背面に前記後側筐体の前面が重なった状態では、前記前側筐体の背面に形成した凹部に前記スタンド部材が収納され、
前記前側筐体の背面に対し前記後側筐体が１８０度回動した状態では、前記前側筐体の背面から前記スタンド部材が突出されることを特徴とする請求項１に記載の撮像装置。
【請求項３】
前記前側筐体の背面に前記後側筐体の前面が重なった状態では、前記後側筐体の前面に形成した凹部に前記リンク部材が収納され、
前記前側筐体の背面に対し前記後側筐体が１８０度回動した状態では、前記後側筐体の前面から前記リンク部材が突出されることを特徴とする請求項１または２に記載の撮像装置。
【請求項４】
前記前側筐体の背面の前記凹部において、前記スタンド部材が回動可能に結合されていることを特徴とする請求項２または３に記載の撮像装置。
【請求項５】
前記前側筐体の背面の前記凹部において、前記スタンド部材がスライド可能に組み込まれていることを特徴とする請求項２または３に記載の撮像装置。
【請求項６】
前記スタンド部材に形成した長穴に沿ってスライド可能に前記リンク部材が結合されることを特徴とする請求項１から５のいずれか一項に記載の撮像装置。
【請求項７】
前記前側筐体に対し前記後側筐体が所定の回転トルクで回動操作されることを特徴とする請求項１から６のいずれか一項に記載の撮像装置。
【請求項８】
前記後側筐体の前面の前記凹部に形成した長穴に沿ってスライド可能に前記リンク部材が結合されることを特徴とする請求項３または４に記載の撮像装置。
【発明の詳細な説明】
【技術分野】
【０００１】
本発明は、撮像レンズと画像モニターを別筐体に備える撮像装置に関する。
【背景技術】
【０００２】
画像モニター部を別筐体として、撮像レンズを有するカメラ本体に対し画像モニター部を１８０度回動させて被写体側に向け、被写体の人物自身が画像をモニタリング可能としたカメラがある（例えば特許文献１、２参照）。
この状態でカメラを卓上に置いた場合、立ち姿の人物の顔よりはるかに低い位置にカメラを水平に向けて置いて画像モニターを見ながら自分撮りをすることとなり、顔を含む自分の姿を写すことが困難となる。
従って、例えば三脚を使い、レンズ光軸を傾けるなどの工夫が必要となる。
なお、背面に画像モニターを一体に備えるカメラにおいて、その背面に姿勢を調節可能なスタンドを備えたものもある（例えば特許文献３、４参照）。
【先行技術文献】
【特許文献】
【０００３】
【特許文献１】特開平１０−１２６６５４号公報
【特許文献２】特開２００５−１０１７７９号公報
【特許文献３】特開２００３−５２６６号公報
【特許文献４】特開２００１−２２８５３０号公報
【発明の概要】
【発明が解決しようとする課題】
【０００４】
しかし、画像モニター部と別筐体のカメラ本体にスタンドを設けただけでは、角度調整が必要で面倒となり、カメラを卓上に置いて画像モニターを見ながら直ちに自分撮りすることは不可能である。
【０００５】
本発明の課題は、撮像レンズと画像モニターを別筐体に備える撮像装置において、卓上に置いて画像モニターを見ながら直ちに自分撮りできるようにすることである。
【課題を解決するための手段】
【０００６】
以上の課題を解決するため、本発明は、
前面に撮像レンズを有する前側筐体と、
前記前側筐体に対し端部で回動可能に結合され、背面に画像モニターを有する後側筐体と、
前記前側筐体の背面に出し入れ可能に取り付けられ、前記前側筐体の姿勢を所定角度に保持するスタンド部材と、
前記スタンド部材と前記後側筐体とに架設され、前記前側筐体に対する前記後側筐体の回動動作に連動して前記スタンド部材を動作可能とするリンク部材と、を備える撮像装置を特徴とする。
【発明の効果】
【０００７】
本発明によれば、撮像レンズと画像モニターを別筐体に備えながら、卓上に置いて画像モニターを見ながら直ちに自分撮りすることができる。
【図面の簡単な説明】
【０００８】
【図１】本発明を適用した撮像装置の一実施形態の構成を示すもので、カメラの筐体を重ねた状態の斜視図である。
【図２】図１の撮像装置の側面図で、机に置いてスタンド部材及びリンク部材等を透視状態で示した図である。
【図３】図１の後側筐体を開く途中の状態を示した図である。
【図４】図３の開く途中状態の側面図で、机に置いた状態の要部透視図である。
【図５】図３の後側筐体をさらに開いて１８０度開状態を示した図である。
【図６】図５の１８０度開状態の側面図で、机に置いた状態の要部透視図である。
【図７】実施形態２の撮像装置を示すもので、カメラの後側筐体を１８０度開状態とした斜視図である。
【図８】図７の前側筐体の側面図である。
【図９】実施形態３の撮像装置を示すもので、カメラの筐体を重ねた状態の透視側面図である。
【図１０】図９の後側筐体を開く途中の状態を示した図である。
【図１１】図１０の後側筐体をさらに開く途中の状態を示した図である。
【図１２】図１１の後側筐体をさらに開いて１８０度開状態とした図である。
【図１３】実施形態４の撮像装置を示すもので、カメラの筐体を重ねた状態の透視側面図である。
【図１４】図１３の後側筐体を開く途中の状態を示した図である。
【図１５】図１４の後側筐体をさらに開く途中の状態を示した図である。
【図１６】図１５の後側筐体をさらに開いて１８０度開状態とした図である。
【図１７】実施形態５の撮像装置を示すもので、カメラの後側筐体を１８０度開状態とした斜視図である。
【図１８】実施形態６の撮像装置を示すもので、カメラの後側筐体を１８０度開状態とした斜視図である。
【発明を実施するための形態】
【０００９】
以下、図を参照して本発明を実施するための形態を詳細に説明する。
（実施形態１）
図１及び図２は本発明を適用した撮像装置の一実施形態の構成を示すもので、カメラの筐体を重ねた状態を示しており、１は前側筐体、２は後側筐体、３は撮像レンズ、４は画像モニター、５はヒンジ軸、６はスタンド部材、７はリンク部材である。
【００１０】
図示のように、前側筐体１に後側筐体２を重ねた状態において、前側筐体１は前面に内蔵または着脱可能な撮像レンズ３を有する一方、後側筐体２は背面に画像モニター４を有している。そして、前側筐体１に対し後側筐体２が上端でヒンジ軸５を介して回動可能に結合されている。
【００１１】
ここで、ヒンジ軸５を含むヒンジ機構は、一定の回転トルクを発生する。
また、前側筐体１と後側筐体２は、ＦＰＣや多芯同軸ケーブルによって電気的接続されている。
【００１２】
そして、前側筐体１の背面には、板状のスタンド部材６が出し入れ可能に取り付けられている。すなわち、スタンド部材６は、前側筐体１の背面に形成された収納凹部１１（図５参照）において、上端で軸線が左右方向の支軸６１を介して回動可能に結合されている。
このスタンド部材６は、収納凹部１１に収納した状態から上端の支軸６１を支点に回動して前側筐体１の背面側に突出させた状態において、前側筐体１を机に置いた状態でその姿勢を所定角度に保持するものである。
【００１３】
ここで、支軸６１を含むヒンジ機構も、一定の回転トルクを発生する。
【００１４】
さらに、スタンド部材６と後側筐体２との間に棒状のリンク部材７が架設されている。すなわち、リンク部材７は、後側筐体２の前面に形成された収納凹部２１（図５参照）において、上端で軸線が左右方向の支軸７１を介して回動可能に結合されている。
【００１５】
また、スタンド部材６の側面には、その長手方向に沿った長穴６２が形成されている。この長穴６２に、リンク部材７の下端が軸線が左右方向の結合軸７２を介して回動可能かつスライド可能に結合されている。この結合軸７２は、長穴６２の中間部に位置している。
【００１６】
以上の構成により、図３及び図４に示すように、前側筐体１に対し後側筐体２を上端のヒンジ軸５を支点に回動させると、後側筐体２に結合した上端の支軸７１を支点にリンク部材７が回動するとともに、リンク部材７の下端の結合軸７２が長穴６２に結合されたスタンド部材６が、図５及び図６に示すように、前側筐体１に対し上端の支軸６１を支点に連動して回動する。
【００１７】
以上において、撮像レンズ３を内蔵または着脱可能な前側筐体１に対して、画像モニター４を有する後側筐体２は、ヒンジ軸５を含むヒンジ機構によって一定のトルクを維持しながら１８０度回動し、図５及び図６に示すように、画像モニター４は被写体側を向く。
【００１８】
図３及び図４は前側筐体１に対し後側筐体２を開く途中の状態を示したもので、図示のように、一定の回動角度以下では、リンク部材７の下端の結合軸７２がスタンド部材６の長穴６２に沿って移動するだけで、スタンド部材６は回動動作しない。
【００１９】
なお、スタンド部材６は、支軸６１を含むヒンジ機構によって一定の回転トルクを有しており、リンク部材７に多少引っ張られても回動しない。
【００２０】
そして、前側筐体１に対する後側筐体２の角度が一定の角度を越えると、リンク部材７の下端の結合軸７２がスタンド部材６の長穴６２の上端に突き当たり、スタンド部材６が上端の支軸６１を支点として回動し、前側筐体１の背面から突出する。
【００２１】
その後、図５及び図６に示すように、結合軸７２が長穴６２の下端に突き当たり、後側筐体２が１８０度回動したチルトアップ状態となる。
【００２２】
この状態で机に置くと、図６に示したように、前側筐体１の下端とスタンド部材６の下端とで姿勢を保持して、撮像レンズ３の光軸を斜め上向きに設置することができる。
【００２３】
従って、撮像レンズ３の光軸と画像モニター４とが被写体である自分自身を向いており、画像モニター４に自分自身の顔や姿を映し出して、そのまま容易に撮影することができる。
その際、セルフタイマー撮影にすれば、シャッターボタンを押す手が写らない。
【００２４】
なお、後側筐体２を戻して前側筐体１に重ねると、リンク部材７の結合軸７２によってスタンド部材６が長穴６２で押されて、図２に示すように、前側筐体１の背面に収納される（収納凹部１１参照）。
【００２５】
以上、実施形態のカメラによれば、前側筐体１に撮像レンズ３を、後側筐体２に画像モニター４を備えながら、卓上に置いて画像モニター４を見ながら直ちに自分撮りすることができる。
【００２６】
そして、自分撮り使用後は、前側筐体１に後側筐体２を重ねて閉じるだけで、スタンド部材６及びリンク部材７は収納凹部１１・２１に収納されるので、外観上も良好である。
【００２７】
また、前側筐体１に対し後側筐体２を開く途中の一定の回動角度以下では、スタンド部材６が回動動作しないので、通常のローアングル撮影の邪魔にならない。
【００２８】
（実施形態２）
図７は実施形態２の撮像装置を示すもので、カメラの後側筐体の１８０度開状態を示しており、前述した実施形態１と同様、１は前側筐体、２は後側筐体、２１は収納凹部であって、１６はスタンド部材、１７はリンク部材である。
【００２９】
図示のように、左右のスタンド部材１６は板状で、前側筐体１の背面の左右に形成した収納凹部１２（図８参照）にそれぞれスライド可能に組み込まれている。左右のスタンド部材１６の後部には、上下方向に長くて左右方向に貫通する長穴１６２が形成されている。
【００３０】
また、リンク部材１７は円弧状で、後側筐体２の前面の収納凹部２１において、上端で支軸１７１を介して回動可能に結合されている。このリンク部材１７の下端には、左右方向に長い結合軸１７２が一体化されている。
【００３１】
そして、結合軸１７２の左右端が、スタンド部材１６の長穴１６２に回動可能かつスライド可能に結合されている。
【００３２】
前側筐体１に後側筐体２を重ねて閉じた状態において、スタンド部材１６が前側筐体１の背面の収納凹部１２に収納されて、リンク部材１７が後側筐体２の前面の収納凹部２１に収納されるとともに、結合軸１７２が前側筐体１の背面の収納凹部１２間に形成した図略の収納凹部に収納される。
【００３３】
前側筐体１に対し後側筐体２を開くと、その途中まで、リンク部材１７の下端の結合軸１７２が長穴１６２に各々結合された左右のスタンド部材１６が、収納凹部１２からそれぞれスライドして前側筐体１の背面に突出する。
【００３４】
その後、結合軸１７２が長穴１６２の上端に突き当たり、図７に示すように、後側筐体２が１８０度回動したチルトアップ状態となる。
【００３５】
このようなスタンド部材１６及びリンク部材１７による構成としてもよい。
【００３６】
（実施形態３）
図９は実施形態３の撮像装置を示すもので、カメラの筐体を重ねた状態を示しており、前述した実施形態１と同様、１は前側筐体、２は後側筐体、３は撮像レンズ、４は画像モニター、５はヒンジ軸であって、２６はスタンド部材、２７はリンク部材である。
【００３７】
図示のように、スタンド部材２６は、前側筐体１の背面の前記収納凹部１１において、下端で支軸２６１を介して回動可能に結合されている。このスタンド部材２６の上端に、リンク部材２７の上端が連結軸２７１を介して回動可能に連結されている。
【００３８】
リンク部材２７は、ベルクランク形状で、後側筐体２の前面の収納凹部２１の側面に形成した上下方向の長穴２２において、下端が結合軸２７２を介して回動可能かつスライド可能に結合されている。この結合軸２７２は、長穴２２の下端に位置している。
【００３９】
前側筐体１に対しヒンジ軸５で後側筐体２を開くと、その途中まで、図１０に示すように、後側筐体２の長穴２２に沿ってリンク部材２７の結合軸２７２が中間部まで移動するとともに、リンク部材２７がスタンド部材２６の上端に対し連結軸２７１を支点として回動する。
【００４０】
さらに、後側筐体２を開くと、図１１に示すように、長穴２２に沿って結合軸２７２がヒンジ軸５側に移動するリンク部材２７及び連結軸２７１を介してスタンド部材２６が、下端の支軸２６１を支点として回動して前側筐体１の背面に突出する。
【００４１】
その後、図１２に示すように、結合軸２７２が長穴２２のヒンジ軸５側端に突き当たり、後側筐体２が１８０度回動したチルトアップ状態となると同時に、スタンド部材２６が前側筐体１の背面に大きく突出した状態となる。
【００４２】
このようなスタンド部材２６及びリンク部材２７による構成としてもよい。
【００４３】
（実施形態４）
図１３は実施形態４の撮像装置を示すもので、カメラの筐体を重ねた状態を示しており、前述した実施形態１と同様、１は前側筐体、２は後側筐体、３は撮像レンズ、４は画像モニター、５はヒンジ軸であって、３６はスタンド部材、３７はリンク部材である。
【００４４】
図示のように、スタンド部材３６は、前側筐体１の背面の前記収納凹部１１において、上端で支軸３６１を介して回動可能に結合されている。このスタンド部材３６の下端に、リンク部材３７の下端が連結軸３７１を介して回動可能に連結されている。
【００４５】
リンク部材３７は、円弧形状で、後側筐体２前面の収納凹部２１側面の上下方向の長穴２２において、上端が結合軸３７２を介して回動可能かつスライド可能に結合されている。この結合軸３７２は、長穴２２の上端に位置している。
【００４６】
前側筐体１に対しヒンジ軸５で後側筐体２を開くと、その途中まで、図１４に示すように、後側筐体２の長穴２２に沿ってリンク部材３７の結合軸３７２が下端まで移動するとともに、リンク部材３７がスタンド部材３６の下端に対し連結軸３７１を支点として回動する。
【００４７】
さらに、後側筐体２を開くと、図１５に示すように、長穴２２に沿って結合軸３７２がヒンジ軸５側に移動するリンク部材３７及び連結軸３７１を介してスタンド部材３６が、上端の支軸３６１を支点として回動して前側筐体１の背面に突出する。
【００４８】
その後、図１６に示すように、結合軸３７２が長穴２２のヒンジ軸５側端に突き当たり、後側筐体２が１８０度回動したチルトアップ状態となると同時に、スタンド部材３６が前側筐体１の背面に大きく突出した状態となる。
【００４９】
このようなスタンド部材３６及びリンク部材３７による構成としてもよい。
【００５０】
（実施形態５）
図１７は実施形態５の撮像装置を示すもので、カメラの後側筐体の１８０度開状態を示しており、前述した実施形態１と同様、１は前側筐体、２は後側筐体、２１は収納凹部であって、４６はスタンド部材、４７はリンク部材である。
【００５１】
図示のように、スタンド部材４６は板状で、前側筐体１の背面に形成した収納凹部１３おいて、一端の図示しない垂直方向の支軸を介して回動可能に組み込まれている。スタンド部材４６には、上下方向に貫通する長穴４６２が形成されている。
【００５２】
また、リンク部材４７は棒状で、後側筐体２の前面の収納凹部２１において、上端で左右方向の支軸４７１を介して回動可能に結合されている。
【００５３】
そして、リンク部材４７の下端に設けた図示しない結合軸が、スタンド部材４６の長穴４６２に回動可能かつスライド可能に結合されている。
【００５４】
前側筐体１に後側筐体２を重ねて閉じた状態において、スタンド部材４６が前側筐体１の背面の収納凹部１３に収納されて、リンク部材４７が後側筐体２の前面の収納凹部２１に収納されるとともに、リンク部材４７の結合軸側が前側筐体１の背面の収納凹部１３上に形成した図略の収納凹部に収納される。
【００５５】
前側筐体１に対し後側筐体２を開くと、その途中まで、リンク部材４７の下端の結合軸が長穴４６２に結合されたスタンド部材４６が、収納凹部１３から一端の支軸を支点に回動して前側筐体１の背面に突出する。
【００５６】
その後、結合軸が長穴４６２を移動して、図示のように、後側筐体２が１８０度回動したチルトアップ状態となる。
【００５７】
このような支軸の軸線が直交するスタンド部材４６及びリンク部材４７による構成としてもよい。
【００５８】
（実施形態６）
図１８は実施形態６の撮像装置を示すもので、カメラの後側筐体の１８０度開状態を示しており、前述した実施形態１と同様、１は前側筐体、１１は収納凹部、２は後側筐体、２１は収納凹部、６はスタンド部材、６１は支軸、６２は長穴、７はリンク部材、７１は支軸、７２は結合軸であって、１５はロック凹部、２５はロック片兼サブスタンド部材である。
【００５９】
図示のように、実施形態１と同様のスタンド部材６及びリンク部材７を備えるカメラにおいて、前側筐体１の前記ヒンジ軸５と反対側の端面にロック凹部１５を形成する。
【００６０】
そして、後側筐体２の端部には、前面側に突出するロック片兼サブスタンド部材２５を一体に設けている。このロック片兼サブスタンド部材２５は、ロック凹部１５に係合可能とである。
【００６１】
このように、後側筐体２の端部に突出するロック片兼サブスタンド部材２５を一体に設けることで、図示のように、前側筐体１に対し後側筐体２が１８０度回動したチルトアップ状態で横置きすれば、前側筐体１の背面に突出したスタント部材６と、後側筐体２の端部に突出したロック片兼サブスタンド部材２５とで、横並びの前側筐体１及び後側筐体２の姿勢を保持して、前記撮像レンズ３の光軸を斜め上向きに設置することができる。
【００６２】
このようなロック片兼サブスタンド部材２５をさらに設ける構成としてもよい。
【００６３】
（変形例）
以上の実施形態においては、カメラとしたが、本発明はこれに限定されるものではなく、カメラを備える携帯電話など他の電子機器であってもよい。
また、筐体、スタンド部材、リンク部材、及び収納凹部の形状等も任意であり、その他、具体的な細部構造等についても適宜に変更可能であることは勿論である。
【００６４】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
前面に撮像レンズを有する前側筐体と、
前記前側筐体に対し端部で回動可能に結合され、背面に画像モニターを有する後側筐体と、
前記前側筐体の背面に出し入れ可能に取り付けられ、前記前側筐体の姿勢を所定角度に保持するスタンド部材と、
前記スタンド部材と前記後側筐体とに架設され、前記前側筐体に対する前記後側筐体の回動動作に連動して前記スタンド部材を動作可能とするリンク部材と、を備えることを特徴とする撮像装置。
＜請求項２＞
前記前側筐体の背面に前記後側筐体の前面が重なった状態では、前記前側筐体の背面に形成した凹部に前記スタンド部材が収納され、
前記前側筐体の背面に対し前記後側筐体が１８０度回動した状態では、前記前側筐体の背面から前記スタンド部材が突出されることを特徴とする請求項１に記載の撮像装置。
＜請求項３＞
前記前側筐体の背面に前記後側筐体の前面が重なった状態では、前記後側筐体の前面に形成した凹部に前記リンク部材が収納され、
前記前側筐体の背面に対し前記後側筐体が１８０度回動した状態では、前記後側筐体の前面から前記リンク部材が突出されることを特徴とする請求項１または２に記載の撮像装置。
＜請求項４＞
前記前側筐体の背面の前記凹部において、前記スタンド部材が回動可能に結合されていることを特徴とする請求項２または３に記載の撮像装置。
＜請求項５＞
前記前側筐体の背面の前記凹部において、前記スタンド部材がスライド可能に組み込まれていることを特徴とする請求項２または３に記載の撮像装置。
＜請求項６＞
前記スタンド部材に形成した長穴に沿ってスライド可能に前記リンク部材が結合されることを特徴とする請求項１から５のいずれか一項に記載の撮像装置。
＜請求項７＞
前記前側筐体に対し前記後側筐体が所定の回転トルクで回動操作されることを特徴とする請求項１から６のいずれか一項に記載の撮像装置。
＜請求項８＞
前記後側筐体の前面の前記凹部に形成した長穴に沿ってスライド可能に前記リンク部材が結合されることを特徴とする請求項３、４、７のいずれか一項に記載の撮像装置。
【符号の説明】
【００６５】
１  前側筐体
１１  収納凹部
１２  収納凹部
１３  収納凹部
１５  ロック凹部
２  後側筐体
２１  収納凹部
２２  長穴
２５  ロック片兼サブスタンド部材
３  撮像レンズ
４  画像モニター
５  ヒンジ軸
６  スタンド部材
６１  支軸
６２  長穴
７  リンク部材
７１  支軸
７２  結合軸
１６  スタンド部材
１６２  長穴
１７  リンク部材
１７１  支軸
１７２  結合軸
２６  スタンド部材
２６１  支軸
２７  リンク部材
２７１  連結軸
２７２  結合軸
３６  スタンド部材
３６１  支軸
３７  リンク部材
３７１  連結軸
３７２  結合軸
４６  スタンド部材
４６２  長穴
４７  リンク部材
４７１  支軸
【図１】
0005953794.tif 000002
【図２】
0005953794.tif 000003
【図３】
0005953794.tif 000004
【図４】
0005953794.tif 000005
【図５】
0005953794.tif 000006
【図６】
0005953794.tif 000007
【図７】
0005953794.tif 000008
【図８】
0005953794.tif 000009
【図９】
0005953794.tif 000010
【図１０】
0005953794.tif 000011
【図１１】
0005953794.tif 000012
【図１２】
0005953794.tif 000013
【図１３】
0005953794.tif 000014
【図１４】
0005953794.tif 000015
【図１５】
0005953794.tif 000016
【図１６】
0005953794.tif 000017
【図１７】
0005953794.tif 000018
【図１８】
0005953794.tif 000019